(57)【特許請求の範囲】
【請求項１】
内視鏡挿入部の先端部本体に形成された処置具誘導室に処置具挿通チャンネルの先端開口が連通し、上記先端部本体からの処置具先端の突出方向を変えるために遠隔操作によって駆動される処置具起上台が上記処置具誘導室内に配置された内視鏡の先端部において、
上記先端部本体に対して着脱自在に設けられた先端キャップに、上記処置具挿通チャンネルの先端開口と上記処置具起上台との間の処置具通路の断面積の大きさを調整するための舌状部が設けられて、
上記処置具挿通チャンネルの先端開口から突出される処置具の先端が当接する上記舌状部の裏面部分が、上記処置具先端を通過させ易いように斜面に形成されていることを特徴とする内視鏡の先端部。
【請求項２】
上記先端部本体に観察光学系が内蔵されており、上記処置具先端の突出方向を上記観察光学系の観察光軸に近づけるように上記舌状部の突端縁が斜めに形成されている請求項１記載の内視鏡の先端部。
【請求項３】
上記処置具の通過位置を規制するための案内溝が上記舌状部に形成されている請求項１記載の内視鏡の先端部。
【請求項４】
上記先端部本体に観察光学系が内蔵されていて、上記案内溝が、上記処置具先端の突出方向を上記観察光学系の観察光軸に近づける方向に斜め向きに形成されている請求項３記載の内視鏡の先端部。
【請求項５】
上記処置具通路を径の太い処置具が通過するときに上記舌状部が変形して上記処置具通路が広がるように、上記舌状部が変形可能に形成されている請求項１記載の内視鏡の先端部。
【請求項６】
上記舌状部に断面形状が略Ｖ字状の溝が形成されていて、上記舌状部が太い処置具で押されると上記舌状部が上記溝部分で折れ曲がって変形するようになっている請求項５記載の内視鏡の先端部。
【発明の詳細な説明】
【０００１】
【発明の属する技術分野】
この発明は、挿入部先端からの処置具の突出方向を変えるための処置具起上台を有する内視鏡の先端部に関する。
【０００２】
【従来の技術】
図１４は従来の内視鏡の先端部を示しており、図示されていない観察用対物光学系を内蔵する先端部本体２が、内視鏡の挿入部を形成する可撓管の先端に設けられた湾曲部１の先端に連結されている。
【０００３】
この内視鏡はいわゆる側方視型内視鏡であり、観察方向は先端部本体２の側方（図１４において上方）である。先端部本体２の外面には、金属製の先端部本体２が外表面に露出しないように、電気絶縁材からなる先端キャップ３が取り付けられている。
【０００４】
また先端部本体２には、処置具挿通チャンネル１０に挿脱される処置具１００を誘導するための処置具誘導室９が形成されている。処置具挿通チャンネル１０は先端部本体２の後端部分に接続されていて、その先端開口が処置具誘導室９に連通している。８は、処置具挿通チャンネル１０の先端開口と処置具誘導室９との間の処置具通路である。
【０００５】
処置具誘導室９内には、処置具１００の先端の突出方向を変えるための処置具起上台１１が、支軸１２を中心に回動自在に支軸１２によって先端部本体２に軸支されており、図示されていない操作ワイヤを介して手元側の操作部から遠隔操作される。
【０００６】
【発明が解決しようとする課題】
内視鏡に使用される処置具は、一般には太いほど高い性能を発揮することができるので、使用される内視鏡の処置具挿通チャンネル１０に挿脱可能な範囲においてできるだけ太いものが標準サイズとして使用されている。
【０００７】
しかし、処置の内容や現場の都合等によっては、処置具挿通チャンネル１０の内径寸法に対して大きな余裕のある細い処置具が用いられる場合もある。図１４に示される処置具１００は、そのような細い処置具１００である。
【０００８】
ところがそのような標準サイズより細い処置具１００は、処置具挿通チャンネル１０内においてだけでなく、処置具通路８内や処置具誘導室９内においても移動の自由度（ガタつき）が大きい。
【０００９】
そのため、図１５に示されるように、回動操作された処置具起上台１１によって押されると細い処置具１００は先端部本体２内で大きく移動し、処置具起上台１１をさらに大きく回動させると処置具１００の移動量もさらに大きくなって処置具１００の先端がふらつき、処置具１００の先端位置を術者の思いどおりの位置に誘導することができない不都合が生じる。
【００１０】
そこで本発明は、標準サイズより細い処置具を使用する際であっても、処置具起上台操作時に処置具がふらつかず、処置具の先端を正確に誘導することのできる内視鏡の先端部を提供することを目的とする。
【００１１】
【課題を解決するための手段】
上記の目的を達成するため、本発明の内視鏡の先端部は、内視鏡挿入部の先端部本体に形成された処置具誘導室に処置具挿通チャンネルの先端開口が連通し、上記先端部本体からの処置具先端の突出方向を変えるために遠隔操作によって駆動される処置具起上台が上記処置具誘導室内に配置された内視鏡の先端部において、上記処置具挿通チャンネルの先端開口と上記処置具起上台との間の処置具通路の断面積の大きさを調整するための処置具通路断面積調整手段を設けたことを特徴とする。
【００１２】
なお、上記処置具通路断面積調整手段が、上記先端部本体に対して着脱自在に設けられた先端キャップに形成された舌状部であってもよく、その場合、上記処置具挿通チャンネルの先端開口から突出される処置具の先端が当接する上記舌状部の裏面部分が、上記処置具先端を通過させ易いように斜面に形成されているとよい。
【００１３】
また、上記先端部本体に観察光学系が内蔵されており、上記処置具先端の突出方向を上記観察光学系の観察光軸に近づけるように上記舌状部の突端縁が斜めに形成されていてもよい。
【００１４】
また、上記処置具の通過位置を規制するための案内溝が上記舌状部に形成されていてもよく、その場合、上記先端部本体に観察光学系が内蔵されていて、上記案内溝が、上記処置具先端の突出方向を上記観察光学系の観察光軸に近づける方向に斜め向きに形成されていてもよい。
【００１５】
また、上記処置具通路を径の太い処置具が通過するときに上記舌状部が変形して上記処置具通路が広がるように、上記舌状部が変形可能に形成されていてもよい。
【００１６】
その場合、上記舌状部に断面形状が略Ｖ字状の溝が形成されていて、上記舌状部が太い処置具で押されると上記舌状部が上記溝部分で折れ曲がって変形するようにしてもよい。
【００１７】
【発明の実施の形態】
図面を参照して本発明の実施の形態を説明する。
図１、図２及び図３は、本発明の第１の実施の形態の内視鏡の先端部を示している。図２は内視鏡の挿入部先端の平面図であり、図１はそのＩ−Ｉ断面図、図３はIII−III断面図である。
【００１８】
挿入部を形成する可撓管の先端に設けられた湾曲部１の先端には、図示されていない対物光学系等を内蔵した先端部本体２が連結されている。図３に示される６０は対物光学系収容孔である。
【００１９】
図２に示される６は、先端部本体２の側方に向いて設けられた観察窓であり、それに並んで配置された照明窓７から観察視野に向かって照明光が放射される。図３に示される７０は、照明用ライトガイドファイバである。
【００２０】
先端部本体２の外面には、金属製の先端部本体２が外表面に露出しないように、電気絶縁材からなる先端キャップ３が取り付けられている。先端キャップ３の後端開口部の内周部分には、内方に突出する周状突起５が形成されていて、その周状突起５が先端部本体２の外周面に形成された円周溝４に係合して、先端キャップ３が先端部本体２から抜け落ちないようになっている。
【００２１】
ただし、先端キャップ３はある程度の弾力性を有する材料で形成されているので、口元部分を変形させることにより周状突起５を円周溝４に対して係脱させて、先端キャップ３を先端部本体２に対して着脱することができる。
【００２２】
先端部本体２には、処置具挿通チャンネル１０に挿脱される処置具１００を誘導するための処置具誘導室９が、観察窓６及び照明窓７と同方向に開口して形成されている。
【００２３】
処置具挿通チャンネル１０は先端部本体２の後端側部分に接続されていて、その先端開口が処置具誘導室９に連通している。８は、処置具挿通チャンネル１０の先端開口と処置具誘導室９との間の処置具通路である。
【００２４】
処置具誘導室９内には、処置具１００の先端の突出方向を変えるための処置具起上台１１が、支軸１２を中心に回動自在に支軸１２によって先端部本体２に軸支されており、図示されていない操作ワイヤを介して手元側の操作部から遠隔操作される。
【００２５】
各図に示される先端キャップ３は、標準より細い処置具１００を使用する際に用いるための先端キャップ３であり、処置具通路８の断面積を標準状態より狭くするための舌状部１５が、処置具通路８を例えば三分の一程度処置具誘導室９の開口部側から塞ぐように突出形成されている。
【００２６】
舌状部１５の裏面部分１５ａは、処置具１００の先端が処置具挿通チャンネル１０の先端開口から処置具通路８に向かって突出される際に当接するので、処置具１００の先端がそこに引っ掛かることなく通過するように、図１に示されるように処置具通路８が先側へ次第に細くなるような斜面に形成されている。
【００２７】
このように構成された実施の形態の内視鏡の先端部においては、標準より細い処置具１００を使用する際に、その処置具の外径に対応して、処置具通路８の断面積が舌状部１５によって狭められた先端キャップ３を選択使用する。
【００２８】
その結果、先端部本体２内における処置具１００の位置が舌状部１５によって規制されるので、図４及び図５に示されるように、処置具起上台１１が起上操作された時に処置具１００がふらつかず、処置具１００の先端位置を術者の思いどおりの位置に正確に誘導することができる。
【００２９】
図６及び図７は、本発明の第２の実施の形態の内視鏡の先端部を示しており、舌状部１５の突端を、図７に示されるように観察光軸３０に近い側ほど処置具通路８内への突出量が小さい斜面に形成したものである。
【００３０】
このように構成することにより、先端部本体２から外方に突出する処置具１００の先端部分が観察光軸３０側に寄せられて観察視野の中心に近づくので、処置具１００の使用がし易くなる。
【００３１】
図８及び図９は、本発明の第３の実施の形態の内視鏡の先端部を示しており、舌状部１５の突端部分に、処置具通路８内を通過する処置具１００をガイドするための案内溝１６を形成したものである。このように構成することにより、処置具通路８内を通過する処置具１００の位置が左右に振れなくなって、使用し易くなる。
【００３２】
図１０及び図１１は、本発明の第４の実施の形態の内視鏡の先端部を示しており、第３の実施の形態における案内溝１６を、処置誘導室９の出口に至るまで観察光軸３０に次第に接近する方向に斜めに形成したものである。
【００３３】
このように構成することにより、処置具通路８内を通過する処置具１００の位置が左右に振れなくなると共に、先端部本体２から外方に突出する処置具１００の先端部分が観察光軸３０側に寄せられて観察視野の中心に近づくので、より使用し易くなる。
【００３４】
図１２及び図１３は、本発明の第５の実施の形態の内視鏡の先端部を示しており、舌状部１５の処置具通路８への突出部の根元付近に、前側から横向きに、断面形状が略Ｖ字状で舌状部１５の前後方向の厚みをその部分だけ局部的に薄くするＶ溝１７を形成したものである。
【００３５】
このように構成することにより、細い処置具１００が通されたときは、図１２に示されるように、舌状部１５が第１の実施の形態と同様に作用して処置具１００の振れを防止し、太い処置具１００が通されたときは、図１３に示されるように、舌状部１５が太い処置具１００により押されてＶ溝１７部分で折れ曲がる状態に変形して処置具通路８が広がるので、先端キャップ３を交換することなく細い処置具１００と太い処置具１００を良好な状態で使用することができる。
【００３６】
【発明の効果】
本発明によれば、処置具挿通チャンネルの先端開口と処置具起上台との間の処置具通路の断面積の大きさを調整するための処置具通路断面積調整手段を設けたことにより、標準サイズより細い処置具を使用する際であっても、処置具起上台操作時に処置具がふらつかないので、処置具の先端を正確に誘導することができる。
【図面の簡単な説明】
【図１】本発明の第１の実施の形態の内視鏡の先端部の側面断面図（図２におけるＩ−Ｉ断面図）である。
【図２】本発明の第１の実施の形態の内視鏡の先端部の平面図である。
【図３】本発明の第１の実施の形態の内視鏡の先端部の正面断面図（図２におけるIII−III断面図）である。
【図４】本発明の第１の実施の形態の内視鏡の先端部の処置具起上台が少し回動した状態の側面断面図である。
【図５】本発明の第１の実施の形態の内視鏡の先端部の処置具起上台が大きく回動した状態の側面断面図である。
【図６】本発明の第２の実施の形態の内視鏡の先端部の側面断面図である。
【図７】本発明の第２の実施の形態の内視鏡の先端部の正面断面図である。
【図８】本発明の第３の実施の形態の内視鏡の先端部の側面断面図である。
【図９】本発明の第３の実施の形態の内視鏡の先端部の正面断面図である。
【図１０】本発明の第４の実施の形態の内視鏡の先端部の側面断面図である。
【図１１】本発明の第４の実施の形態の内視鏡の先端部の正面断面図である。
【図１２】本発明の第５の実施の形態の内視鏡の先端部に細い処置具が通された状態の側面断面図である。
【図１３】本発明の第５の実施の形態の内視鏡の先端部に太い処置具が通された状態の側面断面図である。
【図１４】従来の内視鏡の先端部に細い処置具が通された状態の側面断面図である。
【図１５】従来の内視鏡の先端部の処置具起上台が少し回動した状態の側面断面図である。
【符号の説明】
２  先端部本体
３  先端キャップ
８  処置具通路
９  処置具誘導室
１０  処置具挿通チャンネル
１１  処置具起上台
１５  舌状部
【図１】
0004024358.tif 000002
【図２】
0004024358.tif 000003
【図３】
0004024358.tif 000004
【図４】
0004024358.tif 000005
【図５】
0004024358.tif 000006
【図６】
0004024358.tif 000007
【図７】
0004024358.tif 000008
【図８】
0004024358.tif 000009
【図９】
0004024358.tif 000010
【図１０】
0004024358.tif 000011
【図１１】
0004024358.tif 000012
【図１２】
0004024358.tif 000013
【図１３】
0004024358.tif 000014
【図１４】
0004024358.tif 000015
【図１５】
0004024358.tif 000016